(57)【要約】【課題】単一の表示部材によって、第１の表示と第２の表示を切り替えて表示することが可能となるショーケースを提供する。【解決手段】本発明のショーケース１は、陳列室１１内に商品を陳列してなるものであって、第１の表示と、第２の表示が設けられた表示部材５１と、この表示部材５１を照明するＬＥＤ素子５５Ｒ、５５Ｂを有する複数のＬＥＤ照明装置５２Ｒ、５２Ｂと、各ＬＥＤ照明装置５２を制御する制御装置Ｃとを備え、この制御装置Ｃは、各ＬＥＤ照明装置５２Ｒ、５２ＢのＬＥＤ素子５５Ｒ、５５Ｂの点灯状態を切り替えることにより、表示部材５１の第１の表示、若しくは、第２の表示を選択的に照明する。【選択図】図１
2010078175.tif 000002
【特許請求の範囲】
【請求項１】
陳列室内に商品を陳列してなるショーケースにおいて、
第１の表示と、第２の表示が設けられた表示部材と、
該表示部材を照明するＬＥＤ素子を有する複数のＬＥＤ照明装置と、
各ＬＥＤ照明装置を制御する制御装置とを備え、
該制御装置は、前記各ＬＥＤ照明装置のＬＥＤ素子の点灯状態を切り替えることにより、前記表示部材の第１の表示、若しくは、第２の表示を選択的に照明することを特徴とするショーケース。
【請求項２】
陳列室内に商品を陳列してなるショーケースにおいて、
第１の表示と、第２の表示が設けられた表示部材と、
該表示部材を照明するＬＥＤ素子を有するＬＥＤ照明装置とを備え、
前記表示部材は取付位置が変更可能とされており、当該取付位置により、前記第１の表示、若しくは、第２の表示が前記ＬＥＤ照明装置により選択的に照明されることを特徴とするショーケース。
【請求項３】
前記表示部材の取付位置を検出する検出手段と、制御装置を備え、
前記ＬＥＤ照明装置は少なくとも２種類の発光色の前記ＬＥＤ素子を有しており、
前記制御装置は、前記検出手段の出力に基づき、前記表示部材の第１の表示が前記ＬＥＤ照明装置により照明される場合は、第１の発光色の前記ＬＥＤ素子を発光させ、前記第２の表示が前記ＬＥＤ照明装置により照明される場合は、第２の発光色の前記ＬＥＤ素子を発光させることを特徴とする請求項２に記載のショーケース。
【請求項４】
前記表示部材の取付位置を検出する検出手段と、制御装置を備え、
該制御装置は、前記検出手段の出力に基づき、前記表示部材の第１の表示が前記ＬＥＤ照明装置により照明される場合は、前記陳列室内を当該第１の表示で表現される使用状態とし、前記第２の表示が前記ＬＥＤ照明装置により照明される場合は、前記陳列室内を当該第２の表示で表現される使用状態に切り替えることを特徴とする請求項２又は請求項３に記載のショーケース。
【発明の詳細な説明】
【技術分野】
【０００１】
本発明は、例えば、陳列室内に陳列される商品を加熱する加熱状態と冷却する冷却状態とに適宜切り替えて展示販売するショーケースに関するものである。
【背景技術】
【０００２】
従来より、コンビニエンスストアやスーパーマーケット等の店舗に設置されるショーケースには、内部に形成されて商品を陳列する陳列室が構成されており、当該陳列室内を冷却領域、又は加熱領域、若しくは、冷却領域及び加熱領域の双方を構成することで、冷／温使用可能なものがある（例えば特許文献１参照）。
【０００３】
かかる場合には、ショーケースの上部前面等に、表示装置が設けられている。当該表示装置には、着脱可能とされる表示板が取り付けられる。表示板は、例えば白色の樹脂板により構成されており、一方の面に「ＣＯＬＤ」の文字、他方の面に「ＨＯＴ」の文字が印刷されている。また、他の表示板として、透光性の樹脂板により構成されており、「ＣＯＬＤ」の文字が印刷されているものや、「ＨＯＴ」の文字が印刷されているものがある。
【０００４】
白色樹脂により構成される表示板は、陳列室内の使用状態に応じて、表面とする表示を切り替えて表示装置に取り付ける。また、透光性の樹脂板により構成される表示板を取り付けた場合には、当該表示装置の後方に設けられる蛍光灯によって「ＣＯＬＤ」の文字、若しくは、「ＨＯＴ」の文字が照明される。
【特許文献１】特開２００３−３２９３６０号公報
【発明の開示】
【発明が解決しようとする課題】
【０００５】
従来の如き表示装置では、白色の非透光性の表示板を用いた場合には、後方からの照明を行うことができないため、顧客に陳列室内の使用状態を認識させ難いという問題があった。他方、透光性の表示板を用いる場合には、何れか一方のみが表示装置に取り付けられるため、他方の表示板は、別途保管しておく必要があり、紛失の原因となっていた。
【０００６】
また、当該表示板の照明は、陳列室内を上前方から照明する照明装置に頼っていたため、照明色が限定されており、効果的な表示板の照明が困難であった。
【０００７】
本発明は従来の技術的課題を解決するためになされたものであり、単一の表示部材によって、第１の表示と第２の表示を切り替えて表示することが可能となるショーケースを提供する。
【課題を解決するための手段】
【０００８】
本発明のショーケースは、陳列室内に商品を陳列してなるものであって、第１の表示と、第２の表示が設けられた表示部材と、この表示部材を照明するＬＥＤ素子を有する複数のＬＥＤ照明装置と、各ＬＥＤ照明装置を制御する制御装置とを備え、この制御装置は、各ＬＥＤ照明装置のＬＥＤ素子の点灯状態を切り替えることにより、表示部材の第１の表示、若しくは、第２の表示を選択的に照明することを特徴とする。
【０００９】
請求項２の発明のショーケースは、陳列室内に商品を陳列してなるものであって、第１の表示と、第２の表示が設けられた表示部材と、この表示部材を照明するＬＥＤ素子を有するＬＥＤ照明装置とを備え、表示部材は取付位置が変更可能とされており、当該取付位置により、第１の表示、若しくは、第２の表示がＬＥＤ照明装置により選択的に照明されることを特徴とする。
【００１０】
請求項３の発明のショーケースは、上記発明において、表示部材の取付位置を検出する検出手段と、制御装置を備え、ＬＥＤ照明装置は少なくとも２種類の発光色のＬＥＤ素子を有しており、制御装置は、検出手段の出力に基づき、表示部材の第１の表示がＬＥＤ照明装置により照明される場合は、第１の発光色のＬＥＤ素子を発光させ、第２の表示がＬＥＤ照明装置により照明される場合は、第２の発光色のＬＥＤ素子を発光させることを特徴とする。
【００１１】
請求項４の発明のショーケースは、上記請求項２又は請求項３の発明において、表示部材の取付位置を検出する検出手段と、制御装置を備え、この制御装置は、検出手段の出力に基づき、表示部材の第１の表示がＬＥＤ照明装置により照明される場合は、陳列室内を当該第１の表示で表現される使用状態とし、第２の表示がＬＥＤ照明装置により照明される場合は、陳列室内を当該第２の表示で表現される使用状態に切り替えることを特徴とする。
【発明の効果】
【００１２】
本発明によれば、陳列室内に商品を陳列してなるショーケースにおいて、第１の表示と、第２の表示が設けられた表示部材と、この表示部材を照明するＬＥＤ素子を有する複数のＬＥＤ照明装置と、各ＬＥＤ照明装置を制御する制御装置とを備え、この制御装置は、各ＬＥＤ照明装置のＬＥＤ素子の点灯状態を切り替えることにより、表示部材の第１の表示、若しくは、第２の表示を選択的に照明するので、単一の表示部材によって、第１の表示と第２の表示を切り替えて表示することが可能となる。
【００１３】
そのため、従来のように複数の表示部材を設ける必要が無くなり、部品点数の削減を図ることが可能となる。
【００１４】
請求項２の発明によれば、陳列室内に商品を陳列してなるショーケースにおいて、第１の表示と、第２の表示が設けられた表示部材と、この表示部材を照明するＬＥＤ素子を有するＬＥＤ照明装置とを備え、表示部材は取付位置が変更可能とされており、当該取付位置により、第１の表示、若しくは、第２の表示がＬＥＤ照明装置により選択的に照明されるので、単一の表示部材及び単一のＬＥＤ照明装置によって、第１の表示及び第２の表示を切り替えて表示することが可能となる。
【００１５】
そのため、従来のように複数の表示部材やそれぞれに対応したＬＥＤ照明装置を設ける必要が無くなり、部品点数の削減を図ることが可能となる。また、かかる場合には、複数のＬＥＤ照明装置を切替制御する必要が無くなり、構造を簡素化することができる。
【００１６】
請求項３の発明によれば、上記発明に加えて、表示部材の取付位置を検出する検出手段と、制御装置を備え、ＬＥＤ照明装置は少なくとも２種類の発光色のＬＥＤ素子を有しており、制御装置は、検出手段の出力に基づき、表示部材の第１の表示がＬＥＤ照明装置により照明される場合は、第１の発光色のＬＥＤ素子を発光させ、第２の表示がＬＥＤ照明装置により照明される場合は、第２の発光色のＬＥＤ素子を発光させるので、照明する表示に応じて、発光させる色を切り替えることが可能となる。
【００１７】
これにより、各表示による意匠的効果を向上させることができ、ショーケース全体としての美感向上を図ることが可能となる。
【００１８】
請求項４の発明によれば、上記請求項２又は請求項３の発明に加えて、表示部材の取付位置を検出する検出手段と、制御装置を備え、この制御装置は、検出手段の出力に基づき、表示部材の第１の表示がＬＥＤ照明装置により照明される場合は、陳列室内を当該第１の表示で表現される使用状態とし、第２の表示がＬＥＤ照明装置により照明される場合は、陳列室内を当該第２の表示で表現される使用状態に切り替えるので、表示部材の取付位置を変更することにより、陳列室内の使用状態、例えば、冷却運転状態や加温運転状態等を切り替えることが可能となり、格別に運転状態を切り替えるための操作を行う必要が無くなる。従って、利便性の向上を図ることが可能となる。
【発明を実施するための最良の形態】
【００１９】
次に、図面に基づき本発明の実施形態を詳細に説明する。図１は本発明を適用した実施例のショーケース１の斜視図、図２は図１のショーケース１の縦断側面図を示している。実施例のショーケース１は、コンビニエンスストアやスーパーマーケットなどの店舗に設置される前面に開口を有するオープンショーケースである。当該ショーケース１内に形成される商品を陳列する陳列室１１内には、冷却領域、又は、加熱領域、若しくは、冷却領域及び加熱領域の双方を構成可能とすることで、冷／温使用が可能なものとされている。
【００２０】
ショーケース１の前面に開口する断面略コ字状の断熱壁３と、その両側に取り付けられる側板４、４によって本体２が構成されている。この断熱壁３の内側には間隔を存して背面及び天面にそれぞれ背面パネル６、天面パネル７が配設され、これら背面パネル６、天面パネル７と断熱壁３間に背方から上方に渡る背面ダクト９が構成されている。
【００２１】
また、背面パネル６の下端には、前方に延在するデッキパン１０が設けられており、これら背面パネル６、天面パネル７及びデッキパン１０の内側に陳列室１１が構成されている。そして、デッキパン１０の下方には背面ダクト９に連通してその一部を構成する下部ダクト１４が構成されている。
【００２２】
背面ダクト９の上端は陳列室１１の前面開口上縁に位置する上部冷気吐出口１６に連通し、下部ダクト１４の前端は陳列室１１の前面開口下縁に位置すると共に、複数のスリットから成る冷気吸込口１７に連通している。また、デッキパン１０の下方の下部ダクト１４内には冷気循環用送風機１９が配設され、陳列室１１後方の背面ダクト９内には後述する圧縮機２６や凝縮器２７と共に冷凍サイクルを構成する冷却器１５が縦設されている。
【００２３】
一方、断熱壁３の天壁３Ａの前端には、キャノピー５が全幅に渡り取り付けられており、このキャノピー５の内側には、上部冷気吐出口１６の外側に位置して蛍光灯などから構成される照明灯８が取り付けられている。なお、当該照明灯８はこれ以外にも上部冷気吐出口１６の内側や陳列室１１内に構成される棚装置１２の下面などに取り付けられていても良いものとする。尚、当該照明灯８の前方には、詳細は後述する如き表示部材５１とＬＥＤ照明装置５２とから構成される表示装置５０が設けられている。
【００２４】
陳列室１１内には棚装置１２が複数段、本実施例では上下に４段架設されている。各棚装置１２は後端に後方に突出する鉤状の爪を有した左右一対のブラケット２０と、このブラケット２０上に差し渡して取り付けられた棚板２１と、この棚板２１の商品載置面の裏側に取り付けられた加温用の電気ヒータ２２（図４に示す）とから構成されている。
【００２５】
そして、陳列室１１内の背面パネル６の前面両側に取り付けられた図示しない棚支柱の係合孔に前記ブラケット２０の爪を係脱自在に係合させることにより、各棚装置１２は陳列室１１内において上下位置（高さ）を変更可能に架設されている。
【００２６】
また、図２において３５は、棚ダクト部材であり、この棚ダクト部材３５内には、前端において斜め前下方に開口する棚下冷気吐出口３７を有する棚ダクト３６が構成されている。また、この棚ダクト３６内には、背面ダクト９側に進退して当該背面ダクト９内を閉塞可能とするためのダンパー部材３９が設けられている。
【００２７】
一方、断熱壁３の下側には機械室２５が構成されており、この機械室２５内には圧縮機２６と、凝縮器２７と、凝縮器用送風機２８等が設置されると共に、電源や制御基板を収納した図示しない電装箱も配設される。
【００２８】
ここで、図３の冷媒回路図を参照して本実施例における冷凍サイクルを構成する冷媒回路４０について説明する。圧縮機２６の吐出側の配管４２には、凝縮器２７が接続されている。そして、この凝縮器２７の出口側には、配管４３を介して減圧装置としての膨張弁４４が接続されている。この膨張弁４４は冷却器１５に接続され、冷却器１５の出口側は圧縮機２６に接続されて環状の冷凍サイクルを構成している。
【００２９】
また、断熱壁３の背方には当該断熱壁３の背面と所定の間隔を存して鋼板製の背面板２９が取り付けられており、この背面板２９と断熱壁３間には排気用ダクト３０が構成されている。この排気用ダクト３０の下端は機械室２５の後部に開口して連通すると共に、上端はショーケース１上方に開放している。そのため、凝縮器用送風機２８が運転されることによって、機械室２５内に吸引された外気は、凝縮器２７を通過して熱交換した後、圧縮機２６に吹き付けられて当該圧縮機２６を空冷し、排気用ダクト３０を介して外部に排出される。
【００３０】
なお、３１は機械室２５の前面を開閉自在に閉塞するパネルである。３２は機械室２５内下部に設けられた蒸発皿であり、図示しないドレンホースを介して冷却器１５からのドレン水（露水や除霜水など）が流入し、貯留されるものである。
【００３１】
次に、図４のショーケース１の部分拡大図を参照して、上記表示装置５０について説明する。表示装置５０は、キャノピー５の前面に設けられる表示部材保持部５３と、当該表示部材保持部５３に着脱自在に取り付けられる表示部材５１と、当該表示部材５１を下方から照明する複数のＬＥＤ照明装置５２とから構成されている。
【００３２】
表示部材保持部５３は、上方に開口する略コ字状を呈しており、少なくとも当該表示部材保持部５３が設けられるキャノピー５の前面５Ａは、白色塗装がなされていることが望ましい。
【００３３】
そして、当該表示部材保持部５３の下辺部５３Ａ内は、透光性材料又は、光を透過可能とする透孔を備えた仕切壁５３Ｂにより上下に区画されており、当該仕切壁５３Ｂの上面は、表示部材保持部５３の上部開口から挿入される表示部材５１下端の支持面とされる。
【００３４】
図５に示すように表示部材５１は、透光性の板状材料、本実施例では、透明の硬質合成樹脂板により構成されており、当該前面、若しくは後面には、左右に渡って複数の「ＨＯＴ」の文字（第１の表示）と複数の「ＣＯＬＤ」の文字（第２の表示）が交互にレーザー加工等によって刷り込み表示されている。
【００３５】
一方、表示部材保持部５３の仕切壁５３Ｂの下方には、複数のＬＥＤ照明装置５２が左右に渡って並設されている。このＬＥＤ照明装置５２は、上方、この場合、仕切壁５３Ｂ側に向けて光を照射する複数のＬＥＤ素子５５が配設された基板５６により構成されている。尚、各ＬＥＤ照明装置５２は、それぞれ図示しない配線によって本体２側から給電されており、後述する制御装置Ｃにより点灯／消灯制御される。
【００３６】
この場合において、ＬＥＤ照明装置５２は、チップタイプの演色ＬＥＤ素子５５を有しており、本実施例では、図５に示すように、取り付けられる表示部材５１の「ＨＯＴ」の文字部分の下方に対応する位置に配設されるＬＥＤ照明装置５２Ｒには、赤色ＬＥＤ素子（第１の発光色を発光可能とするＬＥＤ素子）５５Ｒが複数設けられており、表示部材５１の「ＣＯＬＤ」の文字部分の下方に対応する位置に配設されるＬＥＤ照明装置５２には、青色ＬＥＤ素子（第２の発光色を発光可能とするＬＥＤ素子）５５Ｂが複数設けられている。
【００３７】
尚、各棚装置１２の前端部には、上記表示装置５０と略同様に構成される表示装置７０をそれぞれ備え、制御装置Ｃにより点灯／消灯制御されるものとする。尚、当該表示装置７０の詳細な構成は、表示装置５０と同様であるため説明を省略する。
【００３８】
次に、図６を参照して本実施例における制御装置Ｃについて説明する。制御装置Ｃは、汎用のマイクロコンピュータにより構成されており、上述した如き陳列室１１内を照明する照明灯８の点灯／消灯を行うための照明灯スイッチ８Ａ、冷／温切替スイッチ５６を含む各種設定スイッチを備えたコントロールパネル４７が接続されている。また、当該制御装置Ｃの入力側には、庫内温度を検出する庫内温度センサ４８、各棚装置１２の温度を検出する棚センサ４９等が接続されている。
【００３９】
ここで、庫内温度センサ４８は、例えば、ショーケース１の陳列室１１内天井部に設けられており、陳列室１１内の温度である庫内温度を検出するものである。棚センサ４９は、各棚装置１２に設けられて、各棚装置１２の温度である棚温度を検出するものである。
【００４０】
他方、制御装置Ｃの出力側には、表示装置５０の各ＬＥＤ照明装置５２と、各表示装置７０の各ＬＥＤ照明装置５２と、圧縮機２６を駆動させる圧縮機モータ２６Ｍと、各棚装置１２に設けられる電気ヒータ２２、冷気循環用送風機１９を駆動させる送風機モータ１９Ｍ、凝縮器用送風機２８を駆動させる送風機モータ２８Ｍ、膨張弁４４等が接続されている。
【００４１】
以上の構成で、ショーケース１の動作を説明する。まずはじめに、陳列室１１内全体を加熱領域として温蔵使用する場合について説明する。かかる場合には、コントロールパネル４７の冷／温切替スイッチ５６により、貯蔵室１１内全体の温蔵使用に切り替える。
【００４２】
これにより、制御装置Ｃは、圧縮機モータ２６Ｍ、凝縮器用送風機２８の送風機モータ２８Ｍ及び冷気循環用送風機１９の送風機モータ１９Ｍの運転を停止すると共に、各棚装置１２にそれぞれ設けられる棚センサ４９により検出される棚温度に基づき各棚装置１２毎の電気ヒータ２２への通電制御を実行する。これにより、各棚装置１２上、更には、陳列室１１内を加温設定温度に維持する。
【００４３】
また、制御装置Ｃは、上記表示装置５０の各ＬＥＤ照明装置５２Ｒを点灯し、各ＬＥＤ照明装置５２Ｂを消灯する。これにより、図５に示すように、表示装置５０の表示部材５１は、「ＨＯＴ」の文字が表示される部分が、下方に設けられる各ＬＥＤ照明装置５２Ｒの各赤色ＬＥＤ素子５５Ｒによる赤色光により照明される。
【００４４】
従って、表示部材５１の下方から各ＬＥＤ照明装置５２Ｒの各赤色ＬＥＤ素子５５Ｒによって照射された赤色光は、表示部材５１内部を透過し、これにより、対応する位置に表示される「ＨＯＴ」の文字が浮き上がった状態で赤く明るく照明される。このとき、「ＣＯＬＤ」に対応する部分に設けられるＬＥＤ照明装置５２Ｂは、消灯されているため、当該「ＣＯＬＤ」の文字は暗く、認識しがたい状態とされる。
【００４５】
また、このとき、各棚装置１２の前端に設けられているそれぞれの表示装置７０を同様にＬＥＤ照明装置５２Ｒを点灯し、対応する位置に表示される「ＨＯＴ」の文字が浮き上がった状態で赤く明るく照明する。
【００４６】
他方、陳列室１１内全体を冷却領域として冷蔵使用する場合について説明する。かかる場合には、コントロールパネル４７の冷／温切替スイッチ５６により、貯蔵室１１内全体の冷蔵使用に切り替える。
【００４７】
これにより、制御装置Ｃは、全ての電気ヒータ２２を非通電とすると共に、庫内温度センサ４８が検出する陳列室１１内の温度である庫内温度に基づき、冷却運転を実行する。即ち、圧縮機２６の運転が開始されると、圧縮機２６の吐出側の配管４２から吐出された高温高圧のガス冷媒は、凝縮器２７に流入する。ここで、十分に凝縮液化された冷媒は、制御装置Ｃより膨張弁４４が開閉制御されることから、当該膨張弁４４により減圧された後、冷却器１５に流入する。そして、背面ダクト９内に配設された冷却器１５に流入した冷媒は、蒸発し、周囲から熱を奪って冷却作用を発揮した後、圧縮機２６に帰還する。
【００４８】
この冷却器１５と熱交換した冷気は、背面ダクト９と連通する下部ダクト１４内に配設された冷気循環用送風機１９により上部冷気吐出口１６や棚ダクト３６の棚下冷気吐出口３７を介してから吐出され、一部の冷気は陳列室１１内を循環して陳列室１１内を所定の冷却温度に冷却した後、陳列室１１の前面開口下縁に位置する冷気吸込口１７を介して下部ダクト１４内に帰還する。これにより、陳列室１１の前面開口には、冷気によるエアーカーテンが形成され、陳列室１１内の冷気漏出や外気侵入を抑制している。そして、陳列室１１内全体が所定の冷却温度に冷却される。
【００４９】
また、制御装置Ｃは、上記表示装置５０の各ＬＥＤ照明装置５２Ｂを点灯し、各ＬＥＤ照明装置５２Ｒを消灯する。これにより、図７に示すように、表示装置５０の表示部材５１は、「ＣＯＬＤ」の文字が表示される部分が、下方に設けられる各ＬＥＤ照明装置５２Ｂの各青色ＬＥＤ素子５５Ｂによる青色光により照明される。
【００５０】
従って、表示部材５１の下方から各ＬＥＤ照明装置５２Ｂの各青色ＬＥＤ素子５５Ｂによって照射された青色光は、表示部材５１内部を透過し、これにより、対応する位置に表示される「ＣＯＬＤ」の文字が浮き上がった状態で青く明るく照明される。このとき、「ＨＯＴ」に対応する部分に設けられるＬＥＤ照明装置５２Ｒは、消灯されているため、当該「ＨＯＴ」の文字は暗く、認識しがたい状態とされる。
【００５１】
また、このとき、各棚装置１２の前端に設けられているそれぞれの表示装置７０を同様にＬＥＤ照明装置５２Ｂを点灯し、対応する位置に表示される「ＣＯＬＤ」の文字が浮き上がった状態で青く明るく照明する。
【００５２】
このように、制御装置Ｃは、冷／温切替スイッチ５６に基づきそれぞれの表示装置５０、７０に設けられる表示部材５１を照明する各ＬＥＤ照明装置５２Ｒ、５２Ｂの点灯状態を切り替えることにより、表示部材５１の「ＨＯＴ」の表示と、「ＣＯＬＤ」の表示を選択的に照明することが可能となる。従って、単一の表示部材により、「ＨＯＴ」の表示と「ＣＯＬＤ」の表示を切り替えて表示することが可能となる。
【００５３】
そのため、従来のように、複数の表示部材を設ける必要が無くなり、部品点数の削減を図ることが可能となる。また、表示は文字が明るく浮き上がった状態で行われるため、美感の向上を図ることが可能となる。
【００５４】
また、照明する表示に応じて、点灯するＬＥＤ照明装置５２Ｒ、又は５２Ｂを切り替えることにより、発光させる色を切り替えることが可能となる。従って、各表示による意匠的効果を向上させることができ、ショーケース全体としての美感向上を図ることが可能となる。
【００５５】
特に、本実施例では、表示部材の各表示を照明する照明装置として光の指向性の高いＬＥＤ素子を採用しているため、対応する部分以外に光が照射されにくくなり、目的とする表示の照明を適切に実現することが可能となる。
【００５６】
尚、本実施例では、「ＨＯＴ」の表示と「ＣＯＬＤ」の表示を照明するＬＥＤ照明装置５２を赤色のＬＥＤ素子５５Ｒを備えたものと、青色のＬＥＤ素子５５Ｂを備えたものとにより実現しているが、これ以外の発光色を発光させるＬＥＤ素子を採用してもよく、また、単一の発光色を発光させるＬＥＤ素子を採用することで、それぞれを切り替えて照明することにより表示可能としてもよい。
【００５７】
次に、図８及び図９を参照して他の実施例としての表示装置６０について説明する。係る実施例における表示装置６０は、上記実施例と同様にキャノピー５の前面や各棚装置１２の前端部に設けられる表示部材保持部５３と、当該表示部材保持部５３に着脱自在に取り付けられる表示部材６１と、当該表示部材６１を下方から照明する複数のＬＥＤ照明装置６２とから構成されている。尚、表示部材保持部５３は、上記実施例と略同様に構成されているため説明を省略する。
【００５８】
図８に示すように表示部材６１は、透光性の板状材料、本実施例では、透明の硬質合成樹脂板により構成されており、当該前面、若しくは後面には、左右に渡って複数の「ＨＯＴ」の文字（第１の表示）と複数の「ＣＯＬＤ」の文字（第２の表示）が交互にレーザー加工等によって刷り込み表示されている。
【００５９】
尚、本実施例では、「ＨＯＴ」の文字と「ＣＯＬＤ」の文字の表記に必要とされる寸法は、略同様となるように表示されている。そして、表示部材６１は、長手方向の寸法（正面に向かって左右寸法）が上記表示部材保持部５３の寸法よりも例えば、上記「ＨＯＴ」又は「ＣＯＬＤ」の一つ分の表記に必要とされる寸法分だけ小さく形成されており、表示部材保持部５３内において長手方向に摺動自在（取付位置が変更可能）とされている。
【００６０】
一方、表示部材保持部５３の仕切壁５３Ｂの下方には、複数のＬＥＤ照明装置６２が左右に渡って所定間隔、本実施例では、少なくとも「ＨＯＴ」又は「ＣＯＬＤ」の一つ分の表記に必要とされる寸法だけ存して並設されている。このＬＥＤ照明装置６２は、上方、この場合、仕切壁５３Ｂ側に向けて光を照射する複数のＬＥＤ素子６５が配設された基板により構成されている。本実施例において、基板に配設されるＬＥＤ素子６５は、複数、この場合２色の演色ＬＥＤ素子、即ち赤色ＬＥＤ素子６５Ｒと青色ＬＥＤ素子６５Ｂにより構成されており、これらは隣接した状態で複数設けられている。そして、これら各赤色ＬＥＤ素子６５Ｒと、青色ＬＥＤ素子６５Ｂとは、制御装置Ｃにより点灯／消灯制御される。
【００６１】
そして、当該表示部材６１が収容される表示部材保持部５３の一側部には、表示部材６１を表示部材保持部５３の当該一側に寄せた状態で、当接（ＯＮ）可能とされる冷／温切替スイッチ６７が設けられている。尚、当該一側に寄せた取付位置で、表示部材６１に印刷表示される「ＨＯＴ」表示が、表示部材保持部５３の仕切壁５３Ｂ下方に配設されるそれぞれのＬＥＤ照明装置６２の上方に対応する（図８）。他方、当該表示部材６１を表示部材保持部５３内の他側に寄せた取付位置では、冷／温切替スイッチ６７がＯＦＦとされると共に、表示部材６１に印刷表示される「ＣＯＬＤ」表示が、表示部材保持部５３の仕切壁５３Ｂ下方に配設されるそれぞれのＬＥＤ照明装置６２の上方に対応する（図９）。
【００６２】
以上の構成で、陳列室１１内全体を加熱領域として温蔵使用する場合について説明する。かかる場合には、表示部材６１を一側に寄せた取付位置とすることにより、冷／温切替スイッチ６７がＯＮとされて、貯蔵室１１内全体の温蔵使用に切り替える。これにより、制御装置Ｃは、上記実施例と同様に陳列室１１内の加温制御を実行する。
【００６３】
また、制御装置Ｃは、各ＬＥＤ照明装置６２の赤色ＬＥＤ素子６５Ｒのみを選択的に点灯し、青色ＬＥＤ素子６５Ｂは消灯する。これにより、図８に示すように、表示装置６０の表示部材６１は、「ＨＯＴ」の文字が表示される部分が、下方に設けられる各ＬＥＤ照明装置６２の各赤色ＬＥＤ素子６５Ｒによる赤色光により照明される。
【００６４】
従って、表示部材６１の下方から各ＬＥＤ照明装置６２の各赤色ＬＥＤ素子６５Ｒによって照射された赤色光は、表示部材６１内部を透過し、これにより、対応する位置に表示される「ＨＯＴ」の文字が浮き上がった状態で赤く明るく照明される。このとき、「ＣＯＬＤ」に対応する部分には、ＬＥＤ照明装置６２が設けられていないため、当該「ＣＯＬＤ」の文字は暗く、認識しがたい状態とされる。
【００６５】
他方、陳列室１１内全体を冷却領域として冷蔵使用する場合について説明する。かかる場合には、表示部材６１を他側に寄せた取付位置とすることにより、冷／温切替スイッチ６７がＯＦＦとされて、貯蔵室１１内全体の冷蔵使用に切り替える。これにより、制御装置Ｃは、上記実施例と同様に陳列室１１内の冷却制御を実行する。
【００６６】
また、制御装置Ｃは、各ＬＥＤ照明装置６２の青色ＬＥＤ素子６５Ｂのみを選択的に点灯し、赤色ＬＥＤ素子６５Ｒは消灯する。これにより、図９に示すように、表示装置６０の表示部材６１は、「ＣＯＬＤ」の文字が表示される部分が、下方に設けられる各ＬＥＤ照明装置６２の各青色ＬＥＤ素子６５Ｂによる青色光により照明される。
【００６７】
従って、表示部材６１の下方から各ＬＥＤ照明装置６２の各青色ＬＥＤ素子６５Ｂによって照射された青色光は、表示部材５１内部を透過し、これにより、対応する位置に表示される「ＣＯＬＤ」の文字が浮き上がった状態で青く明るく照明される。このとき、「ＨＯＴ」に対応する部分にはＬＥＤ照明装置６２が設けられていないため、当該「ＨＯＴ」の文字は暗く、認識しがたい状態とされる。
【００６８】
このように、係る実施例では、表示部材６１の取付位置を変更することで、当該ショーケース１の運転状態を切り替える冷／温切替スイッチ５６を切替可能とされているため、これに基づき制御装置Ｃが各ＬＥＤ照明装置６２のそれぞれのＬＥＤ素子６５Ｒ、６５Ｂの点灯状態を切り替えることにより、表示部材５１の「ＨＯＴ」の表示と、「ＣＯＬＤ」の表示を選択的に照明することが可能となる。従って、単一の表示部材により、「ＨＯＴ」の表示と「ＣＯＬＤ」の表示を切り替えて表示することが可能となる。
【００６９】
そのため、従来のように、複数の表示部材やそれぞれに対応したＬＥＤ照明装置を設ける必要が無くなり、部品点数の削減を図ることが可能となる。また、表示は文字が明るく浮き上がった状態で行われるため、美感の向上を図ることが可能となる。また、かかる場合には、複数のＬＥＤ照明装置を別途設けられる切替スイッチにおいて操作する必要が無くなり、構造を簡素化することができる。
【００７０】
また、照明する表示に応じて、点灯するＬＥＤ素子６５Ｒ、又は６５Ｂを切り替えることにより、発光させる色を切り替えることが可能となる。従って、各表示による意匠的効果を向上させることができ、ショーケース全体としての美感向上を図ることが可能となる。
【００７１】
特に、係る実施例では、表示部材６１の取付位置を変更するのみで、冷／温切替スイッチ６７が操作されることから、陳列室１１内を当該表示部材６１によって表現される使用状態（「ＨＯＴ」表示では、温蔵使用、「ＣＯＬＤ」表示では、冷蔵使用）とに切替可能となり、格別に運転状態を切り替えるための操作を行う必要が無くなる。従って、利便性の向上を図ることが可能となる。
【００７２】
尚、係る実施例では、「ＨＯＴ」の表示と「ＣＯＬＤ」の表示を照明するＬＥＤ照明装置６２を少なくとも２種類の発光色のＬＥＤ素子、ここでは、ＬＥＤ赤色のＬＥＤ素子６５Ｒを備えたものと、青色のＬＥＤ素子６５Ｂとを切り替えることにより実現しているが、これ以外の発光色を発光させるＬＥＤ素子を採用してもよく、また、単一の発光色を発光させるＬＥＤ素子を採用することで、それぞれを切り替えて照明することにより表示可能としてもよい。
【００７３】
尚、上記各実施例では、表示装置５０、６０、７０における表示は、陳列室１１内全体の温蔵使用又は冷蔵使用の何れかの使用状態を表示するものとしているが、陳列室１１内を、任意の棚装置１２より上側を温蔵使用とし、それより下側の棚を冷蔵使用とする場合には、制御装置Ｃは、キャノピー５の前面に設けられる表示装置５０（又は６０）を全消灯又は全点灯し、各棚装置１２の前端部に設けられる表示装置７０（又は６０）は、当該棚装置１２上の使用状態に対応する表現を表示する照明を行うものとする。例えば、上から二段目の棚装置１２より上方を温蔵使用とし、それより下方を冷蔵使用とする場合には、最上段及び上から二段目の棚装置１２の前端部に設けられる表示装置７０（又は６０）によって、「ＨＯＴ」を表示すべく、各ＬＥＤ照明装置５２Ｒ（赤色ＬＥＤ素子５５Ｒ）を点灯し、各ＬＥＤ照明装置５２Ｂ（青色ＬＥＤ素子５５Ｂ）を消灯する。そして、最下段及び上から三段目の棚装置１２の前端部に設けられる表示装置７０（又は６０）によって、「ＣＯＬＤ」を表示すべく、各ＬＥＤ照明装置５２Ｂ（青色ＬＥＤ素子５５Ｂ）を点灯し、各ＬＥＤ照明装置５２Ｒ（赤色ＬＥＤ素子５５Ｒ）を消灯する。これにより、各棚装置１２の使用状態を各表示装置７０によって表示することが可能となる。
【００７４】
また、上記各実施例では、第１の表示として「ＨＯＴ」の表示、第２の表示として「ＣＯＬＤ」の表示を行うことで、陳列室１１内の使用状態を表示するものとしているが、当該第１の表示及び第２の表示は、これに限定されるものではなく、陳列室１１内に陳列される商品の種類等や、使用状況を表示する表示、例えば「特売品」や「ＳＡＬＥ」等の第１の表示と、それ以外の表示例えば「いらっしゃいませ」などの第２の表示を切替可能に表示してもよい。
【図面の簡単な説明】
【００７５】
【図１】本発明を適用した実施例のショーケースの斜視図である。
【図２】図１のショーケースの縦断側面図である。
【図３】冷媒回路図である。
【図４】ショーケース１の上部部分拡大図である。
【図５】表示装置の概略構成を示す図である。（「ＨＯＴ」照明時）
【図６】制御装置の電気ブロック図である。
【図７】表示装置の概略構成を示す図である。（「ＣＯＬＤ」照明時）
【図８】他の実施例としての表示装置の概略構成を示す図である。（「ＨＯＴ」照明時）
【図９】他の実施例としての表示装置の概略構成を示す図である。（「ＣＯＬＤ」照明時）
【符号の説明】
【００７６】
Ｃ    制御装置
１    ショーケース
２    本体
３    断熱壁
３Ａ  天壁
５    キャノピー
８    照明灯
１１  陳列室
１２  棚装置
１５  冷却器
２２  電気ヒータ
２６  圧縮機
２７  凝縮器
２８  凝縮器用送風機
４７  コントロールパネル
４８  庫内温度センサ
４９  棚センサ
５０、６０、７０  表示装置
５１、６１  表示部材
５２、５２Ｒ、５２Ｂ、６２  ＬＥＤ照明装置
５３  表示部材保持部
５３Ａ  下辺部
５３Ｂ  仕切壁
５５、５５Ｒ  ５５Ｂ、６５Ｒ、６５Ｂ  ＬＥＤ素子
５６  冷／温切替スイッチ
【図１】
2010078175.tif 000003
【図２】
2010078175.tif 000004
【図３】
2010078175.tif 000005
【図４】
2010078175.tif 000006
【図５】
2010078175.tif 000007
【図６】
2010078175.tif 000008
【図７】
2010078175.tif 000009
【図８】
2010078175.tif 000010
【図９】
2010078175.tif 000011